(57)【要約】【課題】  複数の外部録画再生機器が接続して再生記録が可能な場合に、それぞれの外部録画再生機器が有する録画番組情報やテレビ放送の録画番組情報を一元的に管理して、この管理情報に基づいて再生記録等の操作性を向上する。【解決手段】  ユーザは操作部を用いて放送番組から録画予約したい番組を選択し、録画先の録画再生機器２８，２９，３０を録画再生機器リストから選択する。選択された録画予約番組は録画予約番組リストに追加され、記憶部２４に保存される。また、録画再生機器２８，２９，３０の記録メディアに記録された番組がある場合、その番組情報も記憶部２４に保存され、一元的に管理される。【選択図】図１
2006180396.tif 000002
【特許請求の範囲】
【請求項１】
複数の外部録画再生機器と接続して映像、音声データを含む番組データの再生及び録画を遠隔操作で実行可能とするテレビジョン受信装置であって、
映像を表示する表示手段と、前記外部録画再生機器を含む操作を可能とする操作手段と、データを記憶する記憶手段とを備え、
前記操作手段により前記外部録画再生機器に番組録画操作を実行した場合に、その録画番組情報を前記記憶手段に逐次記憶することを特徴とするテレビジョン受信装置。
【請求項２】
複数の該外部録画再生機器に読み込まれた複数の記録媒体に事前に記録された録画番組情報を逐次認識し、前記記憶手段に記憶することを特徴とする請求項１に記載のテレビジョン受信装置。
【請求項３】
録画番組情報として、録画番組が録画、あるいは再生された外部録画再生機器名を前記記憶手段に記録し、かつ、事前に記録された録画番組情報一覧を該録画再生機器名に応じて前記表示手段に分類表示を行うことを特徴とする請求項２に記載のテレビジョン受信装置。
【請求項４】
前記外部録画再生機器名と前記外部録画再生機器が取り扱い可能な記録媒体種別との対応関係一覧を前記記憶手段に記憶し、かつ事前に記録された録画番組情報一覧を記録媒体種別に応じて前記表示手段に分類表示を行うことを特徴とする請求項３に記載のテレビジョン受信装置。
【請求項５】
前記外部録画再生機器に読み込まれた複数の記録媒体に記録媒体識別子を設定して識別可能とし、録画番組情報として該記録媒体識別子を前記記憶手段に記憶し、かつ事前に記録された録画番組情報一覧を記録媒体識別子に応じて前記表示手段に分類表示を行うことを特徴とする請求項３に記載のテレビジョン受信装置。
【請求項６】
録画番組情報として録画番組中の任意の画像データを参照するための画像位置時刻を設定し、
設定した画像位置時刻に応じて記録媒体がランダムアクセスを可能とする場合は、記録媒体内での位置情報を画像位置情報として録画番組情報に設定し、
設定した画像位置時刻に応じて記録媒体がランダムアクセスができない場合は、該画像位置時刻の画像を前記記憶手段に記憶し、その記憶位置を画像位置情報として録画番組情報に設定し、
前記表示手段に録画番組情報と該画像データを同時に表示することを特徴とする請求項５に記載のテレビジョン受信装置。
【請求項７】
前記表示手段に表示された録画番組情報一覧から選択した番組に対応した前記外部録画再生機器に対して事前に用意された操作を実行することを特徴とする請求項６に記載のテレビジョン受信装置。
【発明の詳細な説明】
【技術分野】
【０００１】
本発明は、複数の外部録画再生機器にネットワーク等を通して接続し、映像や音声データの再生記録が可能となっているデジタルＴＶ放送受信のためのテレビジョン受信装置に関する。
【背景技術】
【０００２】
現在行われているデジタルＴＶ放送においては、視聴者サービスの一環としてＳＩデータを他の映像データ等と共に送信している。受信機側においては上記ＳＩデータを受信し、それに基づいてＥＰＧ（Electric Program Guide）を表示する。
【０００３】
また、デジタルＴＶ放送受信機や録画再生機器は、ＩＥＥＥ１３９４等により規定されるデジタルインターフェースにより接続され、家庭内ネットワークを構築することが可能になっている。ユーザは、表示された番組情報より所望の番組を選択することで自動的に、番組切換えを行ったり、受信機に前記ネットワークを介して接続された録画再生機器に再生、録画、録画予約等の動作を指示することが可能である。例えば、特許文献１には、接続した外部機器の動作を制御でき、外部機器が受信した番組情報を表示して、チャンネル選択を行なうことによって外部機器にチャンネル切換えを行なわせるものが開示されている。
【０００４】
録画済の番組を管理するために、前記ＥＰＧから得られる番組情報を用いるものがあり、そのような技術に関して録画再生機器においては様々な検討がなされている。例えば、特許文献２には、接続された外部機器の記録メディアからＥＰＧ情報や予約情報を読み取り、これに基づいて電子番組表を表示部に表示し、放送チャンネルに関する情報や外部機器で再生可能なコンテンツを選択して予約が可能な放送受信装置が開示されている。
【特許文献１】特開２００４−２００８６２号公報
【特許文献２】特開２００３−３１９２８４号公報
【発明の開示】
【発明が解決しようとする課題】
【０００５】
しかし、特許文献２のように、外部機器の記録メディア、例えば、Ｂｌｕ−ｒａｙ  Ｄｉｓｃ（以下ＢＤ）のようなリムーバブルメディアの場合、録画番組情報を参照するときは、まず該録画番組情報が記録されたディスクを再生機で読み込まなければ録画番組情報の参照ができない点で不便であった。
【０００６】
また個別機器ごとの録画番組情報の管理が可能である場合においても、複数の録画再生機器がネットワーク等で接続されている環境化においては番組情報等の管理情報が機器毎に分散してしまい、利用者による管理情報の参照は機器毎に行う必要があり不便であった。
【０００７】
本発明は、斯かる実情に鑑み、複数の外部録画再生機器が接続して再生記録が可能な場合に、それぞれの外部録画再生機器が有する録画番組情報やテレビ放送の録画番組情報を一元的に管理して、この管理情報に基づいて再生記録等の操作性を向上するテレビジョン受信装置を提供しようとするものである。
【課題を解決するための手段】
【０００８】
本発明は、複数の外部録画再生機器と接続して映像、音声データを含む番組データの再生及び録画を遠隔操作で実行可能とするテレビジョン受信装置であって、映像を表示する表示手段と、前記外部録画再生機器を含む操作を可能とする操作手段と、データを記憶する記憶手段とを備え、前記操作手段により前記外部録画再生機器に番組録画操作を実行した場合に、その録画番組情報を前記記憶手段に逐次記憶することを特徴とする。
【０００９】
このテレビジョン受信装置は、複数の該外部録画再生機器に読み込まれた複数の記録媒体に事前に記録された録画番組情報を逐次認識し、前記記憶手段に記憶することを特徴とする。
【００１０】
また、録画番組情報として、録画番組が録画、あるいは再生された外部録画再生機器名を前記記憶手段に記録し、かつ、事前に記録された録画番組情報一覧を該録画再生機器名に応じて前記表示手段に分類表示を行うことを特徴とする。
【００１１】
また、前記外部録画再生機器名と前記外部録画再生機器が取り扱い可能な記録媒体種別との対応関係一覧を前記記憶手段に記憶し、かつ事前に記録された録画番組情報一覧を記録媒体種別に応じて前記表示手段に分類表示を行うことを特徴とする。
【００１２】
また、前記外部録画再生機器に読み込まれた複数の記録媒体に記録媒体識別子を設定して識別可能とし、録画番組情報として該記録媒体識別子を前記記憶手段に記憶し、かつ事前に記録された録画番組情報一覧を記録媒体識別子に応じて前記表示手段に分類表示を行うことを特徴とする。
【００１３】
また、録画番組情報として録画番組中の任意の画像データを参照するための画像位置時刻を設定し、設定した画像位置時刻に応じて記録媒体がランダムアクセスを可能とする場合は、記録媒体内での位置情報を画像位置情報として録画番組情報に設定し、設定した画像位置時刻に応じて記録媒体がランダムアクセスができない場合は、該画像位置時刻の画像を前記記憶手段に記憶し、その記憶位置を画像位置情報として録画番組情報に設定し、前記表示手段に録画番組情報と該画像データを同時に表示することを特徴とする。
【００１４】
さらに、前記表示手段に表示された録画番組情報一覧から選択した番組に対応した前記外部録画再生機器に対して事前に用意された操作を実行することを特徴とする。
【発明の効果】
【００１５】
本発明によれば、前記操作手段により前記外部録画再生機器に番組録画操作を実行した場合に、その録画番組情報を前記記憶手段に逐次記憶するので、本テレビジョン受信装置から外部録画再生機に録画操作が行われたすべての録画番組情報が録画再生機器および記録メディアにとらわれることなく一元管理することができ、同時にユーザが録画番組情報から所望の番組を容易に見つけ出し、所望の操作を実行することが可能なる。
【００１６】
また、複数の該外部録画再生機器に読み込まれた複数の記録媒体に事前に記録された録画番組情報を逐次認識し、前記記憶手段に記憶するので、本テレビジョン受信装置以外から録画操作が行われた録画番組情報に関しても一元管理することができる。
【００１７】
事前に記録された録画番組情報一覧を該録画再生機器名に応じて前記表示手段に分類表示を行うので、本テレビジョン受信装置に記録された録画番組情報一覧を系統的な分類の基でユーザに提示することが可能となり、ユーザは録画番組情報を効率的に閲覧できるようになる。
【００１８】
また、表示手段に録画番組情報とその番組を表す画像データを同時に表示するので、ユーザは画像データという動画データより比較的容量の小さいデータをもとに番組内容を想起できるようになる。
【００１９】
また、前記表示手段に表示された録画番組情報一覧から選択した番組に対応した前記外部録画再生機器に対して事前に用意された操作を実行するので、ユーザは所望の番組に対して所望の操作を簡便に実行することが可能となる。
【発明を実施するための最良の形態】
【００２０】
以下、本発明の実施の形態を添付図面を参照して説明する。
【００２１】
まず、本発明におけるデジタルテレビジョン受信装置の構成について図１を用いて説明する。このテレビジョン受信装置１０は、外部録画再生機器Ａ，Ｂ，Ｃ（２８，２９，３０）がＩＥＥＥ１３９４等に基づくネットワークを介して接続しており、テレビジョン受信装置１０の側から外部録画再生機器Ａ，Ｂ，Ｃへの操作が可能となっている。
【００２２】
テレビジョン受信装置１０は、チューナ部１１、デスクランブラ１２、デマルチプレクサ１３、ビデオデコーダ１４、ＰＳＩデコーダ１５、オーディオデコーダ１６、画面構成部１７、表示制御部１８、画像表示部１９、ＤＡＣ２０、音声出力部２１、ＩＥＥＥ１３９４インターフェース２２、ＩＣカード制御部２３、記憶部２４、メモリ２５、システム制御部２６、操作部２７とから構成されている。
【００２３】
次に、このテレビジョン受信装置１０の動作について説明する。
アンテナあるいはケーブルから受信された信号は、チューナ部１１に入力される。チューナ部１１では入力信号に対して、復調、誤り訂正等の処理を施したトランスポートストリーム（以下ＴＳ）データを生成し、デスクランブラ１２に出力する。デスクランブラ１２は、ＴＳデータが視聴制限の為に暗号化されている場合、ＴＳデータに含まれる鍵情報とＩＣカード制御部２３に記録される鍵情報とに基づいて、復号化処理を行い、データをデマルチプレクサ１３へ出力する。
【００２４】
ユーザが操作部２７を用いてチャンネルを選択すると、デマルチプレクサ１３は、デスクランブラ１２より入力された複数チャンネル分の映像、音声データ、及びＰＳＩ（Program Specific Information）データ等が時分割多重化されているＴＳデータの中から、選択されたチャンネルにおいて現在放送中の番組に係る映像データ及び音声データを取り出し、それぞれをビデオデコーダ１４、オーディオデコーダ１６に出力して復号化する。また、デマルチプレクサ１３は、前述のＴＳデータからＰＳＩデータを取り出し、ＰＳＩデコーダ１５に送る。ＰＳＩデコーダ１５は、ＰＳＩデータを復号化し、その中のＥＰＧデータをメモリ２５に出力する。メモリ２５は、そのＥＰＧデータを記憶する。
【００２５】
システム制御部２６はマイクロプロセッサを含み、図１システム中の各コンポーネントの制御を行う。また、操作部２７はユーザが画像表示部１９に表示されるＧＵＩを操作するためのカーソルや決定キー等を有し、ユーザの操作入力をシステム制御部２６に入力する。
【００２６】
画面構成部１７は、ＰＳＩデータから得たＳＩ等を利用し、ＥＰＧデータ等を構成するキャラクタ信号を表示制御部１８に出力する。また画面構成部１７は、操作部２７のユーザ操作入力を受けたシステム制御部２６からの制御信号に応じて、メニュー画面等を含むＧＵＩのための画面構成も行う。
【００２７】
表示制御部１８は、ビデオデコーダ１４からの映像とＳＩデータ表示やＧＵＩ画面等との切り替え制御を行い、映像信号を画像表示部１９に出力する。
また、Ｄ／Ａ変換部２０は、オーディオデコーダ１６からのデジタル音声データをアナログ信号に変換して、スピーカである音声出力部２１から音声を出力する。
【００２８】
記憶部２４では、本装置の電源オフ時にでも後述の録画番組情報リストやユーザによる各種設定内容等を保持するために不揮発メモリやハードディスク等の記録媒体を用いる。
【００２９】
次に、録画番組を一元管理するための録画番組情報リスト、接続録画再生機器リスト、及び録画予約番組リストについて説明する。
録画番組情報リスト５０は、記憶部２４に記憶されており、図２に示すように、リスト内固有の番組ＩＤ（番組識別子）５１、該番組名５２、番組が放送された放送チャンネル５３、放送日時５４、出演者等の詳細情報５５、番組が記録される記録メディア種別と記録メディアＩＤ（記録メディア識別子）５６、接続録画再生機器名５７、録画開始位置情報５８、録画終了位置情報５９、ワンシーンアイコンカット時刻６０、ワンシーンアイコン６１の各項目から構成されている。
【００３０】
テレビジョン受信装置１０では、番組をリスト表示する際に番組内容の想起を助けることを目的として番組のワンシーンをアイコン化する。そこで、そのためのシーンカット時刻およびワンシーンアイコンへのリンクを持たせるため、ワンシーンアイコンカット時刻６０、ワンシーンアイコン６１の項目が設けられている。アイコンへのリンクはＨＤＤ、ＢＤ等のランダムアクセス可能なメディアの場合は直接記録メディア内での場所を指定し、Ｄ−ＶＨＳであれば録画時に別途記憶部２４に保存した画像データを参照する。
【００３１】
録画番組情報リスト５０の記録メディア識別子５６、接続録画再生機器名５７を含む接続録画再生機器リストも記憶部２４に記憶されている。この接続録画再生機器リストは、テレビジョン受信装置１０に対してＩＥＥＥ１３９４  インターフェース２２等に基づくネットワークを通して外部接続録画再生機器が接続された際に、該接続録画再生機器が接続録画再生機器リストに含まれない場合は、その接続録画再生機器の情報が接続録画再生機器リストに追加される。
【００３２】
次に、録画番組情報リストに番組情報が追加されるケースとしては、
１）ユーザがテレビジョン受信装置１０からＩＥＥＥ１３９４インターフェース等に基づくネットワークを通して外部接続録画再生機器にＥＰＧデータに基づいて番組単位で録画操作が実行された場合、
２）ＩＥＥＥ１３９４インターフェース等に基づくネットワーク上の外部接続録画再生機器にロードされた記録メディアがディスクメディアであり、かつ、録画番組情報リスト５０に存在しない番組が含まれていた場合、
の２通りがある。
【００３３】
前者の場合、まずユーザはＧＵＩ上のＥＰＧから録画予約したい番組を選択し、録画先の録画再生機器を録画再生機器リストから選択する。選択された録画予約番組は図３のような録画予約番組リスト７０に追加され、記憶部２４に保存される。録画予約番組リスト７０の属性として図３に示す各コラムの値が必須となる。すなわち、番組名７１、放送チャンネル７２、放送日時７３、出演者等の詳細情報７４、機器名７５、ワンシーンアイコンカット時刻７６から構成され、これらに記載されている値はＳＩ等から、機器名７５は、ユーザが選択した録画再生機器に応じて設定される。
【００３４】
ここで、ワンシーンカット時刻は、デフォルト値を利用するかユーザが設定するかを選択できる。録画予約に基づく録画操作実行時には、まず録画番組情報リストの属性のうち録画予約番組リストと同一種の属性を持つ場合にはそれを流用し、それ以外の属性に関しては録画開始時刻直前の適当な時刻から図４のような手順で設定し、録画が完了した段階で録画番組情報リストに追加を行う。
【００３５】
詳しく説明すると、録画準備を開始して、テレビジョン受信装置１０や外部録画再生機器２８，２９，３０の電源をオンする（ステップＳ１１）。録画番組情報リスト５０から番組識別子５１を設定する（ステップＳ１２）。外部録画再生機器２８，２９，３０の記録メディアに番組識別子５１を記録するとともに、記録メディアＩＤ５６設定済みかを確認する（ステップＳ１３）。設定済みであれば、記録メディア識別子を取得する（ステップＳ１５）。設定済みでなければ、記録メディアの先頭に記録メディアＩＤを設定し（ステップＳ１４）、記録メディア識別子を取得する（ステップＳ１５）。
【００３６】
記録メディアから録画開始位置を取得し（ステップＳ１６）、録画番組情報リスト５０の記録日時５４の情報から記録開始時刻かどうかを確認する（ステップＳ１７）。記録開始時刻であれば、外部録画再生機器の録画を開始する（ステップＳ１８）。ワンシーンカット時刻かを確認して（ステップＳ１９）、ワンシーンカット時刻になれば、記録メディア種別を確認して（ステップＳ２０）、録画番組情報リスト５０の記録メディア種別であれば、画像データを記憶部２４に保存して保存場所を取得する（ステップＳ２１）。録画番組情報リスト５０の記録メディア種別でなければ、ワンシーンカット位置を取得する。（ステップＳ２２）。
【００３７】
録画終了時刻になれば（ステップＳ２３）、録画を終了して（ステップＳ２４）、録画終了位置を取得し（ステップＳ２５）、録画番組リストに追加する（ステップＳ２６）。
【００３８】
また、記録メディア識別子は記録メディアに応じて既存の規格が存在する場合にそれを利用し、それ以外は録画番組情報リスト内で固有な番号等を設定する。また、ここで利用される記録メディア種別は、接続録画再生機器リストから該接続録画再生機器に対応するものが設定される。
【００３９】
後者の場合、まず接続録画再生機器に読み込まれた記録メディアの記録メディア識別子が未設定の場合には前記手段と同一のもので記録メディア側に設定する。図２のコラム５１〜６１の属性の内、コラム６０のワンシーンアイコンカット時刻は、デフォルトのものを設定し、コラム６１のワンシーンアイコンへの参照は、記録メディアがランダムアクセス可能なディスクメディアであることから、その時刻における記録メディアの位置情報を設定する。また機器名は該接続録画再生機器の機器名を設定する。それ以外の属性はＡＶ／Ｃ等の規格で記録ディスク内に定義される番組情報から適宜設定する。
【００４０】
こうして、操作部２７により外部録画再生機器に番組録画操作を実行した場合に、その録画番組情報を記憶部２４に逐次記憶するので、本テレビジョン受信装置１０から外部録画再生機に録画操作が行われたすべての録画番組情報が録画再生機器および記録メディアにとらわれることなく一元管理することができ、同時にユーザが録画番組情報から所望の番組を容易に見つけ出し、所望の操作を実行することが可能なる。
また、複数の該外部録画再生機器に読み込まれた複数の記録媒体に事前に記録された録画番組情報を逐次認識し、記憶部２４に記憶するので、本テレビジョン受信装置１０以外から録画操作が行われた録画番組情報に関しても一元管理することができる。
【００４１】
次に、前記録画番組情報リストに登録された番組を表示するための表示手段について述べる。図６に示すように、録画番組情報リスト５０の録画再生機器５７、記録メディア識別子５６、また録画再生機器リストから得られる記録メディア種別の各属性に応じて系統的な分類に基づく表示８１，８２，８３を行い、さらに番組毎に、例えば、ワンシーンアイコン８４，８５を表示することにより、番組情報の効率的な閲覧が可能になる。
【００４２】
ユーザは上記の如く表示された録画番組一覧の中から特定の録画番組をＧＵＩ上で選択することで、該番組が記録される記録メディアを含む録画再生機器に対してＩＥＥＥ１３９４インターフェース等に基づくネットワークを通して遠隔操作を行うことができる。操作実行時には、図のように対応する録画再生機器の接続及び記録メディア識別子の一致を確認した後、録画再生機器に対してユーザによって選択された操作を実行する。
【００４３】
録画再生機器の操作を行なった場合の処理について、図６のフローチャートを用いて説明する。
ユーザが操作部２７を用いて、録画再生機器の操作を実行する（ステップＳ３１）。システム制御部２６は、ＩＥＥＥ１３９４インターフェース２２を介して、再生目的の番組を録画している録画再生機器の接続を確認する（ステップＳ３２）。接続確認ができなかった場合は、記憶部２４に格納されている録画再生機器リストから録画再生機器に対応する記録メディア種別データを取得する（ステップＳ３３）。再生を行なう録画再生機器の接続確認ができれば、ステップＳ３９に進み、該録画再生機器を起動する。
【００４４】
システム制御部２６は、録画再生機器リストに記録メディア種別に対応する別の録画再生機器があるかを確認する（ステップＳ３４）。別の録画再生機器がある場合は、その録画再生機器が接続されているかを確認する（ステップＳ３５）。その録画再生機器が接続されていれば、ステップＳ３７に進む。
ステップＳ３４で別の録画再生機器がない場合、あるいはステップＳ３５でその録画再生機器が接続されていない場合、ユーザに記録メディア種別に対応する録画再生機器を接続するよう要求する（ステップＳ３６）。
【００４５】
ステップＳ３７において、システム制御部２６は、対応する接続録画再生機器の一覧を画像表示部１９に表示し、ユーザに使用する録画再生機器の選択を要求する（ステップＳ３７）。ユーザが操作部２７から録画再生機器を選択すると、システム制御部２６は、記憶部２４に格納されている録画番組情報リスト内の録画再生機器属性値を、選択された録画再生機器に更新し（ステップＳ３８）、その録画再生機器を起動する（ステップＳ３９）。
【００４６】
システム制御部２６は、起動した録画再生機器内の記録メディアの記録メディア識別子が再生したい記録メディアと一致するかを確認する（ステップＳ４０）。一致した場合は記録メディアに対してユーザが操作部２７を用いて行なう処理を実行する（ステップＳ４２）。一致しない場合は、ユーザに対応する記録メディアを録画再生機へロードするよう要求する（ステップＳ４１）。
【００４７】
実行される操作としては、
１）録画開始位置情報を用いて録画開始位置に移動（頭出し）、
２）録画終了位置情報を用いて録画終了位置に移動、
３）録画開始位置情報を用いて頭出し再生、
の３つの操作を用意する。またここで定義される操作に限らず、録画再生機器がＡＶ／Ｃ等の規格により番組の削除等の操作に対応している場合はそのような操作を実行可能にしても良い。
【００４８】
またワンシーンアイコンに関して、ユーザが録画番組情報リスト内の番組再生中に特定のシーンをワンシーンアイコンとして再設定可能とし、この際、ユーザが選択したシーンの時刻が図２のコラム６０のワンシーンアイコン時刻となり、その時刻でのシーン画像（ランダムアクセスのできない非ディスクメディアの場合）もしくはディスク内での位置情報（ランダムアクセスが可能なディスクメディアの場合）がコラム６１のワンシーンアイコンへの参照として再設定される。すなわち、設定した画像位置時刻に応じて記録媒体がランダムアクセスができない場合は、該画像位置時刻の画像を記憶手段に記憶し、その記憶位置を画像位置情報として録画番組情報に設定する。また、設定した画像位置時刻に応じて記録媒体がランダムアクセスを可能とする場合は、記録媒体内での位置情報を画像位置情報として録画番組情報に設定する。
また前記の録画番組リストのＧＵＩ操作により番組リストから不要な番組情報を削除することも可能である。
【００４９】
このようにワンシーンカットの画像とともに録画番組情報を表示するので、ユーザは画像データという動画データより比較的容量の小さいデータをもとに番組内容を想起できるようになる。
【図面の簡単な説明】
【００５０】
【図１】本発明に係るデジタルテレビジョン受信装置のシステム構成図である。
【図２】録画番組情報リストの一例を示す図である。
【図３】録画予約番組リストの一例を示す図である。
【図４】録画開始時における録画番組情報の設定プロセスを示したフローチャートである。
【図５】録画再生機器別の番組一覧表示の一例を示す図である。
【図６】録画再生機器操作実行時の動作プロセスを示したフローチャートである。
【符号の説明】
【００５１】
１０  テレビジョン受信装置
１１  チューナ部
１２  デスクランブラ
１３  デマルチプレクサ
１４  ビデオデコーダ
１５  ＰＳＩデコーダ
１６  オーディオデコーダ
１７  画面構成部
１８  表示制御部
１９  画像表示部
２０  Ｄ／Ａ変換部
２１  音声出力部
２２  ＩＥＥＥ１３９４インターフェース
２３  カード制御部
２４  記憶部
２５  メモリ
２６  システム制御部
２７  操作部
２８，２９，３０  外部録画再生機器
５０  録画番組情報リスト
５１  番組識別子
５２  番組名
５３  放送チャンネル
５４  放送日時
５５  番組内容詳細情報
５６  記録メディア識別子
５７  接続録画再生機器名
５８  録画開始位置情報
５９  録画終了位置情報
６０  ワンシーンアイコンカット時刻
６１  ワンシーンアイコン
７０  録画予約番組リスト
７１  番組名
７２  放送チャンネル
７３  放送日時
７４  番組内容詳細情報
７５  機器名
７６  ワンシーンアイコンカット時刻
８１，８２，８３  番組情報表示
８４，８５  ワンシーンアイコン
【図１】
2006180396.tif 000003
【図２】
2006180396.tif 000004
【図３】
2006180396.tif 000005
【図４】
2006180396.tif 000006
【図５】
2006180396.tif 000007
【図６】
2006180396.tif 000008